【手続補正書】
【提出日】平成26年8月18日(2014.8.18)
【手続補正１】
【補正対象書類名】特許請求の範囲
【補正対象項目名】全文
【補正方法】変更
【補正の内容】
【特許請求の範囲】
【請求項１】
長尺状の筐体と、
前記筐体内に収納された長尺状の基台と、
前記基台に配置された発光装置とを備え、
前記発光装置は、
第１の主面と前記第１の主面とは反対側の第２の主面とを有する長尺状の基板と、
前記基板の前記第１の主面側に実装された発光素子と、
前記第１の主面にパターン形成され、前記発光素子と電気的に接続された配線である第１の金属パターンと、
前記第２の主面にパターン形成され、非配線である第２の金属パターンとを有し、
前記第２の主面は、前記基板が前記基台に載置される面であって、かつ、電子部品が実装されない面であり、
前記第２の金属パターンは、前記基板の短手方向の端部において当該基板の長手方向に沿って直線状に形成された第１直線部を有する
照明用光源。
【請求項２】
前記第２の金属パターンは、さらに、前記基板の短手方向の両端部の一方から他方に向かって直線状に形成された第２直線部を有し、
前記第２直線部は、前記基板の長手方向に沿って複数本形成されている
請求項１に記載の照明用光源。
【請求項３】
前記第２の金属パターンは、メッシュ状に形成されている
請求項１又は２に記載の照明用光源。
【請求項４】
前記第２の主面の面積に対する前記第２の金属パターンの面積の割合は、６０％以下であり、
前記第１の主面の面積に対する前記第１の金属パターンの面積の割合は、前記第２の主面の面積に対する前記第２の金属パターンの面積の割合以下である
請求項１〜３のいずれか１項に記載の照明用光源。
【請求項５】
前記第２の主面の面積に対する前記第２の金属パターンの面積の割合と、前記第１の主面の面積に対する前記第１の金属パターンの面積の割合とが、ほぼ同じである
請求項４に記載の照明用光源。
【請求項６】
前記第１の金属パターンと前記第２の金属パターンとは、同じ金属材料によって構成されている
請求項１〜５のいずれか１項に記載の照明用光源。
【請求項７】
前記金属材料は、銅である
請求項６に記載の照明用光源。
【請求項８】
前記基板を平面視したときに、前記第２の金属パターンは、前記基板の長手方向の端部に実装された前記発光素子の少なくとも一部と重ならないように形成されている
請求項１〜７のいずれか１項に記載の照明用光源。
【請求項９】
さらに、前記発光素子を発光させるための電力を外部から受ける電極端子を有し、
前記基板を平面視したときに、前記第２の金属パターンは、前記電極端子と重ならないように形成されている
請求項１〜８のいずれか１項に記載の照明用光源。
【請求項１０】
さらに、
前記第１の金属パターンを覆うように前記第１の主面に形成された第１のレジストと、
前記第１のレジストの上に積層された第２のレジストと、を有し、
前記第２のレジストに形成される溝は、前記第１の金属パターンの上に形成されていない
請求項１〜９のいずれか１項に記載の照明用光源。
【請求項１１】
前記基板の長手方向の長さをＬ１とし、前記基板の短手方向の長さをＬ２とすると、
Ｌ１／Ｌ２≧３８．６である
請求項１〜１０のいずれか１項に記載の照明用光源。
【請求項１２】
前記基板は、樹脂からなる樹脂基板である
請求項１〜１１のいずれか１項に記載の照明用光源。
【請求項１３】
さらに、前記第１の金属パターンを覆うように前記第１の主面に形成されたレジストを有し、
前記発光素子は、複数個実装されており、
前記レジストは、変色させたレジストである
請求項１に記載の照明用光源。
【請求項１４】
前記レジストを、白色から黄色に変色させている
請求項１３に記載の照明用光源。
【請求項１５】
前記レジストを、加熱することで変色させている
請求項１３又は１４に記載の照明用光源。
【請求項１６】
変色させる前の前記レジストの反射率は、９０％以下である
請求項１３〜１５のいずれか１項に記載の照明用光源。
【請求項１７】
変色させる前の前記レジストの反射率は、８５％以上である
請求項１６に記載の照明用光源。
【請求項１８】
前記筐体は、長尺状の透光性カバーと、外囲器の一部を構成する長尺状の基台とからなる
請求項１〜１７のいずれか１項に記載の照明用光源。
【請求項１９】
請求項１〜１８のいずれか１項に記載の照明用光源を備える
照明装置。
【手続補正２】
【補正対象書類名】明細書
【補正対象項目名】発明の名称
【補正方法】変更
【補正の内容】
【発明の名称】照明用光源及び照明装置
【手続補正３】
【補正対象書類名】明細書
【補正対象項目名】００１０
【補正方法】変更
【補正の内容】
【００１０】
上記第１の目的を達成するために、本発明に係る第１の照明用光源の一態様は、長尺状の筐体と、前記筐体内に収納された長尺状の基台と、前記基台に配置された発光装置とを備え、前記発光装置は、第１の主面と前記第１の主面とは反対側の第２の主面とを有する長尺状の基板と、前記基板の前記第１の主面側に実装された発光素子と、前記第１の主面にパターン形成され、前記発光素子と電気的に接続された配線である第１の金属パターンと、前記第２の主面にパターン形成され、非配線である第２の金属パターンとを有し、前記第２の主面は、前記基板が前記基台に載置される面であって、かつ、電子部品が実装されない面であり、前記第２の金属パターンは、前記基板の短手方向の端部において当該基板の長手方向に沿って直線状に形成された第１直線部を有することを特徴とする。
また、本発明に係る第１の照明用光源の一態様において、前記第２の金属パターンは、さらに、前記基板の短手方向の両端部の一方から他方に向かって直線状に形成された第２直線部を有し、前記第２直線部は、前記基板の長手方向に沿って複数本形成されている、としてもよい。
【手続補正４】
【補正対象書類名】明細書
【補正対象項目名】００１１
【補正方法】変更
【補正の内容】
【００１１】
また、本発明に係る第１の照明用光源の一態様において、前記第２の金属パターンは、メッシュ状に形成されている、としてもよい。
【手続補正５】
【補正対象書類名】明細書
【補正対象項目名】００１２
【補正方法】変更
【補正の内容】
【００１２】
また、本発明に係る第１の照明用光源の一態様において、前記第２の主面の面積に対する前記第２の金属パターンの面積の割合は、６０％以下であり、前記第１の主面の面積に対する前記第１の金属パターンの面積の割合は、前記第２の主面の面積に対する前記第２の金属パターンの面積の割合以下である、としてもよい。
また、本発明に係る第１の照明用光源の一態様において、前記第２の主面の面積に対する前記第２の金属パターンの面積の割合と、前記第１の主面の面積に対する前記第１の金属パターンの面積の割合とが、ほぼ同じである、としてもよい。
【手続補正６】
【補正対象書類名】明細書
【補正対象項目名】００１３
【補正方法】変更
【補正の内容】
【００１３】
また、本発明に係る第１の照明用光源の一態様において、前記第１の金属パターンと前記第２の金属パターンとは、同じ金属材料によって構成されている、としてもよい。
【手続補正７】
【補正対象書類名】明細書
【補正対象項目名】００１４
【補正方法】変更
【補正の内容】
【００１４】
また、本発明に係る第１の照明用光源の一態様において、前記金属材料は、銅である、としてもよい。
【手続補正８】
【補正対象書類名】明細書
【補正対象項目名】００１５
【補正方法】変更
【補正の内容】
【００１５】
また、本発明に係る第１の照明用光源の一態様において、前記基板を平面視したときに、前記第２の金属パターンは、前記基板の長手方向の端部に実装された前記発光素子の少なくとも一部と重ならないように形成されている、としてもよい。
【手続補正９】
【補正対象書類名】明細書
【補正対象項目名】００１６
【補正方法】変更
【補正の内容】
【００１６】
また、本発明に係る第１の照明用光源の一態様において、さらに、前記発光素子を発光させるための電力を外部から受ける電極端子を有し、前記基板を平面視したときに、前記第２の金属パターンは、前記電極端子と重ならないように形成されている、としてもよい。
【手続補正１０】
【補正対象書類名】明細書
【補正対象項目名】００１７
【補正方法】変更
【補正の内容】
【００１７】
また、本発明に係る第１の照明用光源の一態様において、さらに、前記第１の金属パターンを覆うように前記第１の主面に形成された第１のレジストと、前記第１のレジストの上に積層された第２のレジストと、を有し、前記第２のレジストに形成される溝は、前記第１の金属パターンの上に形成されていない、としてもよい。
【手続補正１１】
【補正対象書類名】明細書
【補正対象項目名】００１８
【補正方法】変更
【補正の内容】
【００１８】
また、本発明に係る第１の照明用光源置の一態様において、前記基板の長手方向の長さをＬ１とし、前記基板の短手方向の長さをＬ２とすると、Ｌ１／Ｌ２≧３８．６である、としてもよい。
【手続補正１２】
【補正対象書類名】明細書
【補正対象項目名】００１９
【補正方法】変更
【補正の内容】
【００１９】
また、本発明に係る第１の照明用光源の一態様において、前記基板は、樹脂からなる樹脂基板である、としてもよい。
【手続補正１３】
【補正対象書類名】明細書
【補正対象項目名】００２０
【補正方法】変更
【補正の内容】
【００２０】
また、本発明に係る第１の照明用光源の一態様において、さらに、前記第１の金属パターンを覆うように前記第１の主面に形成されたレジストを有し、前記発光素子は、複数個実装されており、前記レジストは、変色させたレジストである、としてもよい。
【手続補正１４】
【補正対象書類名】明細書
【補正対象項目名】００２１
【補正方法】変更
【補正の内容】
【００２１】
また、本発明に係る第１の照明用光源の一態様において、前記レジストを、白色から黄色に変色させている、としてもよい。
【手続補正１５】
【補正対象書類名】明細書
【補正対象項目名】００２２
【補正方法】変更
【補正の内容】
【００２２】
また、本発明に係る第１の照明用光源の一態様において、前記レジストを、加熱することで変色させている、としてもよい。
【手続補正１６】
【補正対象書類名】明細書
【補正対象項目名】００２３
【補正方法】変更
【補正の内容】
【００２３】
また、本発明に係る第１の照明用光源の一態様において、変色させる前の前記レジストの反射率は、９０％以下である、としてもよい。この場合、変色させる前の前記レジストの反射率は、８５％以上である、としてもよい。
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】変更
【補正の内容】
【００２６】
また、本発明に係る第１の照明用光源の一態様において、前記筐体は、長尺状の透光性カバーと、外囲器の一部を構成する長尺状の基台とからなる、としてもよい。
【手続補正２０】
【補正対象書類名】明細書
【補正対象項目名】００３７
【補正方法】変更
【補正の内容】
【００３７】
本発明に係る第１の照明用光源及び第２の照明装置によれば、発光素子が実装される基板の反りを抑制することができる。